(57)【要約】      （修正有）【課題】塩化ビニルを含む材料で構成されたブラシ台に対して簡易な作業でブラシ繊維を植毛可能とするブラシを提供する。【解決手段】外周面Ｓ１と外周面Ｓ１に交差する側面とを有し、外周面Ｓ１と側面との双方に開口する溝２を有する本体部１と、本体部１の溝２に取付けられたブラシ部３とを備える。上記ブラシ部３は、複数の洗浄体と、複数の洗浄体の各々の端部４ａを保持する保持具とを含み、少なくとも保持具を溝２内に挿入することによりブラシ部３は溝２に取付けられている。【選択図】図３
0003185891.tif 000002
【実用新案登録請求の範囲】
【請求項１】
外周面と前記外周面に交差する側面とを有し、前記外周面と前記側面との双方に開口する溝を有する本体部と、
前記本体部の前記溝に取付けられたブラシ部とを備え、
前記ブラシ部は、複数の洗浄体と、前記複数の洗浄体の各々の端部を保持する保持具とを含み、
少なくとも前記保持具を前記溝内に挿入することにより前記ブラシ部は前記溝に取付けられている、ブラシ。
【請求項２】
前記ブラシ部は、ワイヤーをさらに含み、
前記ワイヤーは、折り返すように曲げられた前記洗浄体によって挟まれるように配置されており、
前記保持具は、前記ワイヤーと、前記ワイヤーを挟み込む前記洗浄体とを外側から巻き込むように構成されている、請求項１に記載のブラシ。
【請求項３】
前記保持具は、前記溝の前記外周面における開口部の幅よりも大きい幅を有している、請求項１または２に記載のブラシ。
【請求項４】
前記溝は、前記本体部の軸方向に沿って延びる溝部、前記軸方向に対して傾斜して延びる溝部、および前記軸方向に対して直交して延びる溝部の少なくとも１つの溝部を有する、請求項１〜３のいずれか１項に記載のブラシ。
【請求項５】
前記溝内に挿入された前記保持具の外周に位置するように、前記本体部の前記外周面に巻き付けられたバンドをさらに備えた、請求項１〜４のいずれか１項に記載のブラシ。
【請求項６】
前記本体部は円筒形状を有する、請求項１〜５のいずれか１項に記載のブラシ。
【請求項７】
前記本体部は、円筒形状となるように組み合わされた２つの半円筒形状部を有する、請求項１〜５のいずれか１項に記載のブラシ。
【請求項８】
前記本体部は合成樹脂よりなっている、請求項１〜７のいずれか１項に記載のブラシ。
【考案の詳細な説明】
【技術分野】
【０００１】
本考案は、ブラシに関するものである。
【背景技術】
【０００２】
鉄道車輛や自動車などの洗浄用のブラシは、一般的に、ブラシ台にブラシ繊維が植毛された構造を備えている。たとえば、特開２０１３−７９０３０号公報には、線洗浄体と面洗浄体とを備える洗浄体を筒状にして、回転軸に取り付けた洗車用ブラシが記載されている。
【０００３】
また、ブラシ台を構成する材料としては、木材や塩化ビニルなどが知られている。木材で構成されたブラシ台に対しては、機械を用いてブラシ繊維を植毛することができる。
【先行技術文献】
【特許文献】
【０００４】
【特許文献１】特開２０１３−７９０３０号公報
【考案の概要】
【考案が解決しようとする課題】
【０００５】
しかしながら、塩化ビニル等の合成樹脂を含む材料で構成されたブラシ台に対して、ブラシ繊維を植毛する作業は機械を用いて実施することができない。そのため、従来、塩化ビニル等のブラシ台を用いたブラシの製造は、ブラシ台へのブラシ繊維の取り付け穴の形成からブラシ繊維の植毛まで手作業で行われている。ここで、ブラシ繊維の植毛作業は当該取り付け穴にブラシ繊維をＵ字状に折り曲げた部分を挿し込んで、その部分をテグスなどの編み糸で縫い付けるものであり特に技術を要する。このため、従来の構造のブラシでは、簡易な作業で製造することは困難であった。
【０００６】
本考案は上記のような課題を解決するためになされたものである。本考案の主たる目的は、簡易な作業で複数の洗浄体を取り付け可能なブラシを提供することにある。
【課題を解決するための手段】
【０００７】
本考案のブラシは、外周面と外周面に交差する側面とを有し、外周面と側面との双方に開口する溝を有する本体部と、本体部の溝に取付けられたブラシ部とを備える。上記ブラシ部は、複数の洗浄体と、複数の洗浄体の各々の端部を保持する保持具とを含み、少なくとも保持具を溝内に挿入することによりブラシ部は溝に取付けられている。
【０００８】
本考案のブラシによれば、複数の洗浄体を保持する保持具を溝内に挿入することにより、複数の洗浄体を一度に本体部に取り付けることができる。これにより、複数の洗浄体を本体部に容易に取り付けることが可能となる。
【０００９】
上記ブラシにおいて、ブラシ部はワイヤーをさらに含んでいる。ワイヤーは、折り返すように曲げられた洗浄体によって挟まれるように配置されている。保持具は、ワイヤーと、ワイヤーを挟み込む洗浄体とを外側から巻き込むように構成されている。これにより、複数の洗浄体はワイヤーと保持具とに挟まれて固定された状態で本体部に取り付けられる。そのため、ブラシを高速回転させたときにも、遠心力を受けた洗浄体が本体部から抜け出ることを防止することができる。
【００１０】
上記ブラシにおいて、保持具は、溝の外周面における開口部の幅よりも大きい幅を有している。これにより、保持具が溝の外周面における開口部から抜け出ることを防止することができるため、ブラシを高速回転させたときにも、遠心力を受けた洗浄体が本体部から抜け出ることを防止することができる。
【００１１】
上記ブラシにおいて、溝は、本体部の軸方向に沿って延びる溝部、軸方向に対して傾斜して延びる溝部、および軸方向に対して直交して延びる溝部の少なくとも１つの溝部を有している。このようにしても、洗浄体を本体部の周方向に沿って配置することができる。そのため、被洗浄物に対してブラシを高速回転させることにより、被洗浄物に対して洗浄体を効果的に接触させることができ、洗浄効率を高めることができる。
【００１２】
上記ブラシは、溝内に挿入された保持具の外周に位置するように、本体部の外周面に巻き付けられたバンドをさらに備えている。このバンドにより、ブラシを高速回転させたときにも、保持具が溝の外周面における開口部から抜け出ることを防止することができる。
【００１３】
上記ブラシにおいて、本体部は円筒形状を有することもできる。このようにしても、本体部の軸方向の両端部に位置する端面から溝内に保持具を挿入することができるため、本体部に対して簡易な作業で洗浄体を植毛することができる。
【００１４】
上記ブラシにおいて、本体部は円筒形状となるように組み合わされた２つの半円筒形状部を有している。このようにすれば、半円筒形状部の軸方向の両端部に位置する端面や、半円筒形状部の円周方向の端部に位置する周端面から溝内に保持具を挿入することができるため、本体部に対して簡易な作業で洗浄体を植毛することができる。
【００１５】
上記ブラシにおいて、本体部は合成樹脂よりなっている。本考案に係るブラシでは、複数の洗浄体を保持する保持具が溝内に挿入されることにより本体部に取り付けられているため、合成樹脂からなる本体部に対して複数の洗浄体を容易に取り付けることができる。
【考案の効果】
【００１６】
以上説明したように本考案のブラシによれば、簡易な作業で複数の洗浄体を取り付け可能とするブラシを提供することができる。
【図面の簡単な説明】
【００１７】
【図１】本考案の一実施の形態におけるブラシの構成を概略的に示す斜視図である。
【図２】図１中の線分ＩＩ−ＩＩから見た断面図である。
【図３】図２中の線分ＩＩＩ−ＩＩＩから見た断面図である。
【図４】図１に示すブラシに用いられるブラシ部の構成を概略的に示す一部断面斜視図である。
【図５】図１に示すブラシの構成の一部を拡大して示す斜視図である。
【図６】本考案の一実施の形態における本体部の構成の変形例を概略的に示す図である。
【図７】本考案の一実施の形態におけるブラシ部の構成の変形例を概略的に示す図である。
【図８】本考案の一実施の形態における本体部の構成の他の変形例を概略的に示す図である。
【図９】本考案の一実施の形態における本体部の構成のさらに他の変形例を概略的に示す図である。
【図１０】比較例としてのブラシの構成を概略的に示す図である。
【考案を実施するための形態】
【００１８】
以下、図面を参照して、本考案の実施の形態に係るブラシについて説明する。なお、以下の図面において同一または相当する部分には同一の参照番号を付しその説明は繰返さない。
【００１９】
まず、本実施の形態に係るブラシの構成について図１〜図５を参照して説明する。図１および図２を参照して、ブラシ１０は、ブラシ台としての本体部１と、本体部１に形成された溝２に取り付けられるブラシ部３と、本体部１に巻きつけられたバンド７とを備える。
【００２０】
本体部１は、半円筒形状を有している。本体部１は、外周面Ｓ１と、本体部１の軸方向の両端部に位置する端面Ｓ３，Ｓ４と、本体部１の円周方向の端部に位置する周端面Ｓ５（図５参照）とを有している。本体部１の外周面Ｓ１には、複数の溝２が形成されている。ブラシ１０のブラシ台は、２つの本体部１が互いの周端面Ｓ５同士を接するように組み合わされた、円筒形状を成している。
【００２１】
複数の溝２の各々は、外周面Ｓ１と端面Ｓ３，Ｓ４との双方に開口部を有している。溝２の各々は、たとえば本体部１の軸方向に沿って一方端面Ｓ３から他方端面Ｓ４に至るまで直線状に延びている。このとき、複数の溝２の各々は、外周面Ｓ１において周方向に所定の間隔を隔てて、たとえば互いに平行に設けられている。
【００２２】
ブラシ部３は、溝２に挿入されることにより本体部１に取り付けられている。つまり、複数の溝２が形成されている本体部１には複数のブラシ部３が取り付けられている。これにより、ブラシ部３は、外周面Ｓ１から本体部１の外周方向に延びている。ブラシ部３は、複数の洗浄体４と、ワイヤー５と、保持具６とを有している。
【００２３】
図３および図４を参照して、ブラシ部３は、いわゆるユニットブラシである。つまり、ブラシ部３は、ワイヤー５が延びる方向に並べられた複数の洗浄体４が、ワイヤー５とともに保持具６によって保持された構造を有している。このとき、複数の洗浄体４の各々は、たとえば線状体として形成されており、ワイヤー５を挟むように折り返されている。洗浄体４においてワイヤー５を挟むように折り返された折り返し部（端部４ａ）はワイヤー５とともに保持具６で外側から巻き込まれることによって圧着されて、保持されている。ブラシ部３において、保持具６は、溝２と嵌合可能に設けられている。具体的には、図３を参照して、ブラシ部３の延びる方向に垂直な面における保持具６の断面形状が、本体部１の端面Ｓ３，Ｓ４における溝２の開口形状と嵌合可能に設けられている。
【００２４】
図２および図５を参照して、バンド７は、複数のブラシ部３を本体部１に取り付けた状態において、溝２内に挿入された保持具６に対して本体部１の外周側に位置するように本体部１の外周面Ｓ１に巻きつけられている。
【００２５】
本実施の形態に係るブラシによれば、ブラシ部３において複数の洗浄体４を保持する保持具６を、本体部１の端面Ｓ３，Ｓ４における溝２の開口部から溝２内に挿入することにより、複数の洗浄体４を本体部１に容易に取り付けることができる。さらに、バンド７が保持具６の外周側に位置するように本体部１の外周面Ｓ１に巻きつけられているため、ブラシ１０を高速回転させたときにも遠心力を受けた洗浄体４が本体部１から抜け出ることを防止することができる。
【００２６】
以下、本実施の形態に係るブラシの詳細な構成について説明する。
本体部１を構成する材料は、たとえば合成樹脂であり、塩化ビニルとすることもできる。本体部１の寸法は、たとえば、外径が１１０ｍｍ程度であって、軸方向に沿った長さが１０００ｍｍ以上１８００ｍｍ以下程度としてもよい。図３を参照して、本体部１の外周面Ｓ１と、外周面Ｓ１と反対側に位置する内周面Ｓ２との成す厚みＴ１は、たとえば１０ｍｍ程度である。
【００２７】
図３および図５を参照して、本体部１の径方向の断面において、溝２は、外周面Ｓ１に面した開口部と、内周面Ｓ２側に位置する底部とで構成されている。なお、図５は、溝２とブラシ部３との関係を説明するための図であり、半円筒状の本体部１に形成された複数の溝２のうち、１つの溝２にのみブラシ部３を挿入した状態を示す。本体部１の径方向の断面において、溝２は、外周面Ｓ１に面した開口部の幅Ｗ１が底部における最大幅Ｗ２よりも狭くなるように設けられている。溝２の開口部の幅Ｗ１はたとえば４ｍｍ程度であり、溝２の底部における最大幅Ｗ２はたとえば８ｍｍ程度である。溝２の本体部１の径方向における寸法は、たとえば７ｍｍ程度である。本体部１の径方向の断面における溝２の形状は、本体部１の径方向において幅Ｗ１から幅Ｗ２へと変化するように設けられていればよく、たとえば円形状と直線形状とが組み合わされた形状である。溝２の内周面Ｓ２側の端部における本体部１の厚みＴ２は、たとえば３ｍｍ程度である。
【００２８】
図４を参照して、洗浄体４の端部４ａと反対側に位置する端部４ｂは、被洗浄物である車輛等と接触する部分である。洗浄体４を構成する材料は、たとえば主としてポリプロピレンやポリプロエチレンである。洗浄体４は、たとえば折りたたまれた状態での長さＬが４００ｍｍ以上６００ｍｍ以下程度であり、線径が０．２ｍｍ以上０．４ｍｍ以下程度である。洗浄体４の延びる方向に対して垂直な断面における洗浄体４の形状は、任意の形状とすればよく、たとえば円形状や多角形状である。
【００２９】
図２を参照して、ブラシ部３は、ブラシ部３が延びる方向において洗浄体４が設けられている領域ＲＡと、洗浄体４が設けられていない領域ＲＢとを有していてもよい。この場合、好ましくは、洗浄体４が設けられていない領域ＲＢは、洗浄体４が設けられている領域ＲＡに挟まれるように形成されており、洗浄体４が設けられていない領域ＲＢは洗浄体４が設けられている領域ＲＡよりも狭い。たとえば、ブラシ部３が延びる方向において、洗浄体４が形成されていない領域ＲＢの長さは、１０ｍｍ程度である。また、洗浄体４が形成されていない領域ＲＢは、ブラシ部３において複数設けられていてもよい。
【００３０】
保持具６は、ブラシ部３を構成している状態において、板状部材の端部同士が重なる側（洗浄体４の端部４ｂに延びる側）においては洗浄体４のみを挟持し、板状部材の屈曲部側（洗浄体４の端部４ａを含む側）においては洗浄体４とワイヤー５とを挟持している。そのため、図４に示すように、保持具６が洗浄体４のみを挟持している部分の幅Ｗ３は、洗浄体４とワイヤー５とを挟持している部分の最大幅Ｗ４よりも小さい。このとき、保持具６の折り返し部の形状は、本体部１の溝２の形状に応じて、溝２と嵌合可能に設けられている。本実施の形態においては、保持具６の形状はたとえば円形状と直線形状とが組み合わされた形状である。また、保持具６における幅Ｗ３（図４）は溝２の開口部における幅Ｗ１（図３）と同等程度であり、保持具６における幅Ｗ４（図４）は、溝２における幅Ｗ２（図３）と同等程度である。また、保持具６は溝２と嵌合した状態で、接着剤等によって接着されていてもよい。
【００３１】
ブラシ１０は、上記のようなブラシ部３が本体部１に形成された１つの溝２に１つずつ配置されることにより構成されている。ブラシ１０は、たとえば本体部１の中心軸を回転軸Ａ（図１）として回転された状態で、被洗浄物に洗浄体４が接触させられることにより、被対象物を洗浄することができる。好ましくは、被洗浄物を挟み込むように複数のブラシ１０が併設されて、たとえばモータなどで被洗浄物を挟んで対向する１対のブラシ１０を相反する方向に回転させる。このようにすれば、被洗浄物を効果的に洗浄することができる。
【００３２】
次に、ブラシ１０の組み立て作業の一例を説明する。
まず、本体部１を準備する。具体的には、半円筒状であって塩化ビニルで構成された本体部１を２つ準備した後、各本体部１に複数の溝２を形成する。溝２の形成は、たとえばまず本体部１の外周面Ｓ１に、本体部１の周方向における幅Ｗ１を有する開口部を本体部１の軸方向に沿って形成する。次に、該開口部に対して内周面Ｓ２側に本体部１の周方向における最大幅Ｗ２を有する底部を形成する。
【００３３】
次に、ブラシ部３を複数準備する。ブラシ部３は、いわゆるユニットブラシである。次に、各々のブラシ部３を、本体部１に設けられた複数の溝２に取り付ける。たとえば、洗浄体４の端部４ｂが外周面Ｓ１の外側に配置されるように、端面Ｓ３において表出している溝２に対して、ブラシ部３の延びる方向における端部に位置する保持具６を嵌合させた後、溝２の延びる方向（本実施の形態においては本体部１の軸方向）にブラシ部３を送り込んでもよい。このようにして、本体部１の複数の溝２に対して複数のブラシ部３を取り付けることができる。このとき、溝２にブラシ部３を取り付けた状態で、溝２とブラシ部３とを接着剤等により接着してもよい。
【００３４】
次に、２つの本体部１を組み合わせて円筒状のブラシ台とする。次に、ブラシ台（本体部１）の外周面Ｓ１にバンド７を巻きつける。このようにして、本実施の形態に係るブラシ１０が作製される。
【００３５】
次に、本実施の形態に係るブラシの作用効果について図１０に示す比較例と対比して説明する。図１０を参照して、従来の車輛洗車用ブラシは、半円筒状の本体部１５に複数の穴２１，２２が設けられており、各穴２１，２２において洗浄体４０を編みこむ構造を有している。各穴２１，２２は、編み糸５０のみが通される編み糸用穴２１と、該編み糸用穴２１の内径よりも大きい洗浄体４０が挿入されて固定される洗浄体用穴２２とで構成されている。また、従来のブラシの組み立て方法は、本体部１５に上記の２つの穴２１，２２を形成した後、本体部１５の内周面に這わせた編み糸５０を用いて各穴２２において洗浄体４０を編み込んで、さらに接着剤等によって洗浄体４０を穴２２に接着することにより、ブラシを作製している。そのため、従来のブラシの組み立ては、職人による手作業で行われている。特に、各穴２２に洗浄体４０を縫い付ける植毛作業は技術を要するため、簡易な作業で植毛可能なブラシが求められている。
【００３６】
これに対して、本実施の形態に係るブラシは、本体部１の外周面Ｓ１と端面Ｓ３，Ｓ４との双方に開口する溝２が設けられており、端面Ｓ３またはＳ４から該溝２にブラシ部３の保持具６を挿入することにより、ブラシ部３が取り付けられたブラシ１０を容易に作製することができる。つまり、手作業による編み込み作業を行うことなく、本体部１にブラシ部３を取り付ける（洗浄体４を植毛する）ことができる。
【００３７】
さらに、ブラシ部３は、洗浄体４がワイヤー５に対して並べられた状態で保持具６によってワイヤー５とともに圧着されることにより構成されている。つまり、洗浄体４はワイヤー５を挟むように配置されており、さらに、洗浄体４は保持具６によってワイヤー５とともに挟み込まれている。そのため、ブラシ１０が高速回転したときにも洗浄体４が遠心力を受けて保持具６から抜け出ることをワイヤー５および保持具６により防止することができる。
【００３８】
さらに、保持具６は、溝２の外周面Ｓ１における開口部の幅Ｗ１よりも大きい幅Ｗ４を有している。具体的には、保持具６において洗浄体４のみを挟持している部分の幅Ｗ３は溝２の開口部の幅Ｗ１と同等程度に設けられているが、保持具６において洗浄体４とワイヤー５とを挟持している部分の最大幅Ｗ４は幅Ｗ３よりも大きい。そのため、たとえばブラシ１０を高速回転させたときに、ブラシ部３が本体部１から外周側に抜け出ることを防止することができる。
【００３９】
本実施の形態において、ブラシ台は、半円筒形状の２つの本体部１が組み合わされることにより円筒状に構成されているが、これに限られるものではない。図６を参照して、たとえば、ブラシ台は、軸方向において複数段に分割されていてもよい。この場合、ブラシ台は、段数の倍の数の半円筒形状の本体部１により構成される。このとき、ブラシ台は、軸方向の長さが異なる数種類の本体部１が、軸方向に積まれるように構成されていてもよい。たとえば軸方向の長さが２．５ｍのブラシ１０を構成する場合には、軸方向の長さが５００ｍｍの半円筒形状の本体部１を１０個用意してもよい。また、たとえば、軸方向の長さが８００ｍｍ、１２００ｍｍ、５００ｍｍの３種類の半円筒形状の本体部１をそれぞれ２つずつ準備し、軸方向の長さの等しい本体部１同士を組み合わせて円筒形状とした上で、３種類の本体部１を軸方向に積層させてもよい。さらにこのとき、３種類の本体部１における溝２やブラシ部３の構成が異なっていてもよい。このようにすれば、被洗浄体の形状等に応じた適当なブラシ１０を構成することができる。また、本体部１は、円筒形状であってもよい。この場合には、端面Ｓ３，Ｓ４において表出している溝２に対してブラシ部３を送り込むことによりブラシ１０を組み立てることができる。なお、被洗浄体が大型であって、ブラシ１０を大型化する場合には、組み立て性等の観点から、ブラシ１０のブラシ台は複数の本体部１により構成されているのが好ましい。このようにすれば、個々の本体部１に対してブラシ部３を取り付けた後、ブラシ部３が取り付けられた複数の本体部１を組み立てることにより、大型のブラシ１０を容易に得ることができる。
【００４０】
また、本実施の形態に係るブラシにおいて、溝２の底部が円形状を有しているが、これに限られるものではない。図７を参照して、たとえば、溝２の底部が底辺を有する角形状であり、幅Ｗ２は該底辺の長さとして設けられていてもよい。このようにしても、保持具６を溝２に対し嵌合可能に設けることにより、保持具６が溝２の開口部から本体部１の外周側に抜け出ることを防止することができる。
【００４１】
また、本実施の形態に係るブラシにおいて、溝２は、本体部１の軸方向に沿って延びるように設けられているが、これに限られるものではない。図８を参照して、たとえば、本体部１の軸方向に対して傾斜するように設けられていてもよい。このようにしても、端面Ｓ３，Ｓ４あるいは半円筒状に設けられた本体部１の円周方向の端部に位置する周端面Ｓ５から溝２内にブラシ部３を容易に挿入することができる。また、図９を参照して、本体部１の軸方向に対して垂直に交差するように設けられていてもよい。このようにしても、本体部１が半円筒状に設けられていれば、本体部１の円周方向の端部に位置する周端面Ｓ５から溝２内にブラシ部３を容易に挿入することができる。
【００４２】
今回開示された実施の形態はすべての点で例示であって制限的なものではないと考えられるべきである。本考案の範囲は上記した実施の形態ではなくて実用新案登録請求の範囲によって示され、実用新案登録請求の範囲と均等の意味および範囲内でのすべての変更が含まれることが意図される。
【符号の説明】
【００４３】
１  本体部、２  溝、３  ブラシ部、４  洗浄体、４ａ，４ｂ  端部、５  ワイヤー、６  保持具、７  バンド、１０  ブラシ。
【図３】
0003185891.tif 000003
【図４】
0003185891.tif 000004
【図５】
0003185891.tif 000005
【図６】
0003185891.tif 000006
【図７】
0003185891.tif 000007
【図８】
0003185891.tif 000008
【図９】
0003185891.tif 000009
【図１０】
0003185891.tif 000010
【図１】
0003185891.tif 000011
【図２】
0003185891.tif 000012